(57)【特許請求の範囲】
【請求項１】
内部に断熱材が充填された扉にハンドルを設けて前記扉を前後に開閉する冷蔵庫において、
前記ハンドルは、
横断面がほぼＵ字状で、開口部側が前記扉の側面に対向するようにして上下方向に延在し、上端部に蓋部を有すると共に両側端部に側部フランジを有する把持部を備え、
前記把持部は、
前記蓋部から下部に向かうに従って、前記把持部の横断面の頂部の高さが順次低くなり、且つ、前記把持部の幅がその中心方向に狭くなるように形成され、
前記把持部の凹部側の上下方向に所定の間隔で複数の係止爪を設けると共に、前記扉の面材の側面に前記係止爪を係止する複数の係止孔を設け、前記係止爪を前記係止孔に嵌入して該係止孔に係止させ、
前記係止爪は、水平爪部と垂直爪部とによって断面ほぼＬ字状に形成され、前記水平爪部を前記係止孔の下縁部に当接させ、前記垂直爪部を前記面材内面にその先端部が重力方向に対し下向きとなるように係止させて、前記ハンドルを前記扉の側面に取り付けた
ことを特徴とする冷蔵庫。
【請求項２】
前記係止爪は、
前記垂直爪部の先端側で前記扉の内側方向に折り曲げられて傾斜する傾斜爪部を備えることを特徴とする請求項１に記載の冷蔵庫。
【請求項３】
前記側部フランジは、前記両側端部から前記扉面材側に向かって形成されたものであることを特徴とする請求項１または２記載の冷蔵庫。
【請求項４】
前記側部フランジは、前記両側端部から外側に向かって形成されたものである
ことを特徴とする請求項１または２記載の冷蔵庫。
【請求項５】
前記把持部の側部フランジは上部が下方向に垂直に切り取られて段差角部を形成し、該段差角部がドアキャップのフランジに当接して固定されることを特徴とする請求項３または４記載の冷蔵庫。
【請求項６】
前記ドアキャップのフランジは下方に開口する溝部を有し、前記把持部の段差角部が前記フランジの溝部の前面側に突き当て固定されると共に、前記扉面材の上端部が前記フランジの溝部に係合することを特徴とする請求項５記載の冷蔵庫。
【請求項７】
前記係止爪と前記係止孔とを前記扉面材の内側からテープによって被覆して前記係止爪を固定することを特徴とする請求項１〜６のいずれかに記載の冷蔵庫。
【請求項８】
前記テープは、発泡ソフトテープであり、
前記断熱材は、ポリウレタンフォーム液を用いて生成されてなるものであり、
前記テープの気泡内部に前記ポリウレタンフォーム液が充填されて前記係止爪が固定されることを特徴とする請求項７記載の冷蔵庫。
【発明の詳細な説明】
【技術分野】
【０００１】
本発明は冷蔵庫に係り、特にハンドル部分を改良した冷蔵庫に関する。
【背景技術】
【０００２】
従来の冷蔵庫のハンドルは、扉の取っ手として扉自体に凹部を形成し、この凹部を把持部としている（例えば、特許文献１参照）。
【０００３】
また、扉の取っ手として扉とは独立した別個のハンドルをねじを用いて取り付けたものがある（例えば、特許文献２参照）。
【０００４】
【特許文献１】特開平０３−１９５８８４号公報（第３頁、第１図）
【特許文献２】特開昭６３−２１７１７９号公報（第２頁、第１図−第３図）
【発明の開示】
【発明が解決しようとする課題】
【０００５】
特許文献１の従来の冷蔵庫は、扉の取っ手として扉自体に凹部を形成しこれを把持部としているので、断熱材を充填するためのスペースを充分に確保することができず、断熱材の充填そのものを阻害する場合があり、断熱特性が低下してハンドル部周辺に露付きが生じたり、消費電力量が悪化するおそれがあった。
【０００６】
また、特許文献２の従来の冷蔵庫は、扉開閉の際にハンドルの取り付け強度が要求されるため、ハンドルを固定するためにネジ等を使用しなければならず、部品数が増加するばかりでなく、ハンドルが扉から突出しているため、人が当たったりすることがある等の問題があった。
【０００７】
本発明は上記のような課題を解決するためになされたもので、扉にハンドルを取り付ける際に断熱材を充填するためのスペースが削減されることなく断熱特性を確保し、露付きや消費電力量の悪化を防止することができる冷蔵庫を提供することを目的とする。
【０００８】
また、ハンドルをネジ等を使用せずに強固に取り付けることができる冷蔵庫を提供することを目的とする。
【課題を解決するための手段】
【０００９】
本発明に係る冷蔵庫は、内部が断熱材で充填された扉にハンドルを設けて扉を前後に開閉する冷蔵庫であって、前記ハンドルは、横断面がほぼＵ字状で、開口部側が前記扉の側面に対向するようにして上下方向に延在し、上端部に蓋部を有すると共に両側端部に側部フランジを有する把持部を備え、前記把持部は、前記蓋部から下部に向かうに従って、前記把持部の横断面の頂部の高さが順次低くなり、且つ、前記把持部の幅がその中心方向に狭くなるように形成され、前記把持部の凹部側の上下方向に所定の間隔で複数の係止爪を設けると共に、扉の面材の側面に前記係止爪を係止する複数の係止孔を設け、係止爪を係止孔に嵌入して該係止孔に係止させ、係止爪は、水平爪部と垂直爪部とによって断面ほぼＬ字状に形成され、水平爪部を係止孔の下縁部に当接させ、垂直爪部を面材内面にその先端部が重力方向に対し下向きとなるように係止させて、ハンドルを扉の側面に取り付けるようにしたものである。
【発明の効果】
【００１０】
冷蔵庫扉の側面に独立したハンドルを係止して取り付けたので、断熱材の充填スペースが充分に確保され、ハンドル取り付け部の断熱特性に影響を与えず、断熱特性の低化を防止することができる。
【発明を実施するための最良の形態】
【００１１】
実施の形態１．
図１は本発明の実施の形態１に係る冷蔵庫の斜視図、図２は図１の下扉のハンドル取り付け部近傍の横断面図、図３は図１の下扉のハンドル取り付け部近傍の縦断面図、図４は図３の要部を拡大した縦断面図、図５は図４の上面図、図６は下扉のハンドル取り付け部近傍を断熱材側から見た斜視図である。
図において、冷蔵庫の本体１の前面開口部には、本体１の側壁側に上扉２及び下扉３が回動自在に取り付けられ、これらの扉２、３の回動側とは反対側の側面２ａ、３ａには例えば硬質樹脂からなる上扉ハンドル１０及び下扉ハンドル１１（以下、これらを単にハンドルと記すことがある）が取付けられており、上扉２、下扉３を前後に開閉するようになっている。
【００１２】
下扉３（上扉２と下扉３とは実質的に同じ構成なので、以下、下扉３近傍の構成についてのみ説明する）は、内側に位置する扉内板４と外側に位置する扉面材５とによって構成され、扉内板４は扉面材５にねじ６によって固定され、これらにより囲まれた内側空間にはポリウレタンフォームからなる断熱材７が充填されている。
下扉３の側面３ａ近傍の裏面には、パッキン８が扉内板４と扉面材５とにより挟み込まれて取付けられ、下扉３が閉じたときに、パッキン８が本体１の側壁１ａの前面１ｂと当接するようになっている。
【００１３】
下扉ハンドル１１は、断面がほぼＵ字状で上下方向に延在し、両側端部には扉面材５側に向かう（両側端部側に延在する）側部フランジ１６ａを有する把持部１２と、凹部１２ａ側に位置して上下方向に所定の間隔で設けられたハンドル引っ掛け用のほぼ逆Ｌ字状をなす第１、第２、第３の係止爪（係止部）１３、１４、１５とから構成されている。
【００１４】
第１の係止爪１３は、把持部１２の面に対してほぼ直交する第１の爪部（水平爪部）１３ａと、これにほぼ直交して下方に折り曲げられた第２の爪部（垂直爪部）１３ｂと、その先端側で下扉３の内側方向に折り曲げられて傾斜する第３の爪部１３ｃとから構成されている。そして、第２の係止爪１４も第１の係止爪１３と同様に、第１の爪部（水平爪部）１４ａと、第２の爪部（垂直爪部）１４ｂと、第３の爪部１４ｃとから構成され、第３の係止爪１５も、第１の爪部（水平爪部）１５ａと、第２の爪部（垂直爪部）１５ｂと、第３の爪部１５ｃとから構成されている。
【００１５】
把持部１２は、側部フランジ１６ａに対応する部分を除き、上端がほぼ半円状の蓋部１６によって塞がれており、側部フランジ１６ａの上部は下方向に垂直に切り取られ、位置決めストッパーとしての段差角部１６ｂを形成している（図４、図５参照）。そして、上から下に行くほど高さａ（図３参照）が低くなり（上部の高さａは８ｍｍ前後が望ましい）、かつ幅ｂ（図６参照）が狭くなるようになっている。
【００１６】
下扉３の扉面材５の側面５ａには上下方向に所定の間隔で矩形状の第１、第２、第３の角穴（係止孔または被係止部ともいう）５ｂ、５ｃ、５ｄが設けられ、これらの幅は下扉ハンドル３の第１、第２、第３の係止爪１３、１４、１５の幅よりやや広めに形成され、それぞれの角孔５ｂ、５ｃ、５ｄに第１、第２、第３の係止爪１３、１４、１５が係止されるようになっている。なお、最上部の第１の角穴５ｂのみ上端部が開口されている。 
【００１７】
下扉３の上面（上扉２の下面の場合も同様）にはフランジ２１を有するドアキャップ２０が取り付けられており、フランジ２１には下方に開口する溝部２１ａが設けられ、この溝部２１ａに扉面材５の上端部５ｅ（図４参照）が係合している。また、フランジ２１の溝部２１ａの前側には把持部１２の段差角部１６ｂが突き当て固定され、下からの突き上げによる上方向への抜けを防止している。
【００１８】
扉面材５の内側には、下扉ハンドル１１の第１、第２、第３の係止爪１３、１４、１５を固定するために扉面材５の内側から、例えば発泡ソフトテープのようなシール用のテープ３０を貼り付けてあり、下扉ハンドル１１の取付け部を強化している。このテープ３０は、第１、第２、第３の係止爪１３、１４、１５を含む扉面材５の第１、第２、第３の角穴５ｂ、５ｃ、５ｄの周辺に貼り付けられて角穴５ｂ、５ｃ、５ｄを覆っている。
【００１９】
次に、冷蔵庫の上扉、下扉ハンドル１０、１１、ここでは特に下扉ハンドル１１の取付け手順について説明する。
下扉ハンドル１１を下扉３の扉面材５の側面５ａの外側に当接し、第１、第２、第３の係止爪１３、１４、１５を、扉面材５の第１、第２、第３の角穴５ｂ、５ｃ、５ｄに嵌め込み、側面５ａに沿って下方向（図３の下方向）にスライドさせる。こうして、第１の爪部１３ａ、１４ａ、１５ａをそれぞれ第１、第２、第３の角穴５ｂ、５ｃ、５ｄの下縁部に当接させ、第２の爪部１３ｂ、１４ｂ、１５ｂをそれぞれ第１、第２、第３の角穴５ｂ、５ｃ、５ｄ下部近傍の扉面材５の内面に係止させて、下扉ハンドル１１を下扉３に取り付ける。
次に、下扉３の上面にドアキャップ２０を嵌め込んで、フランジ２１の溝部２１ａを扉面材５の上端部５ｅに係合させ、また、フランジ２１の溝部２１ａの前面側を把持部１２の段差角部１６ｂに突き当て固定する。
【００２０】
上記のように構成した冷蔵庫において、上扉２に設けた上扉ハンドル１０、または下扉３に設けた下扉ハンドル１１を把持し（図２参照）、手前に引いて、上扉２または下扉３を開く。
【００２１】
実施の形態１によれば、冷蔵庫の上扉２、下扉３の側面２ａ、３ａにそれぞれ小型の独立した上扉、下扉ハンドル１０、１１を取り付けたので、すなわち、従来のように、扉面材５内に入り込む取っ手凹部を設けていないため、断熱材７を側面２ａ、３ａの端部まで充填することができ、充填スペースが不足して断熱特性に悪影響を与えるということがない。このため、露付きや消費電力量の悪化を防止することができる。
また、上扉、下扉ハンドル１０、１１は独立のハンドルであって、引っ掛け爪（第１、第２、第３の係止爪１３、１４、１５）によって扉面材５に係止するようにしたので、ねじなどが不要であり構造を簡素化することができる。
また、上扉、下扉ハンドル１０、１１をドアキャップ２０に当接して取り付けるようにしたので、外れを防止することができる。より詳しくは、ドアキャップ２０のフランジ２１の溝部２１ａの前面側に、把持部１２の段差角部１６ｂが突き当て固定されるようにしたので、上扉、下扉ハンドル１０、１１の位置決めとともに、上下方向への抜けを防止することができる。
【００２２】
また、第１、第２、第３の係止爪１３、１４、１５は、扉面材５の内側からシール用のテープ３０によって貼り付け保護してあるので、これらの係止爪１３、１４、１５の固定が確実に行われて強度が増加し、また、シール用のテープ３０によって第１、第２、第３の角穴５ｂ、５ｃ、５ｄも塞がれるため、断熱材７の充填時にはこれらの角穴５ｂ、５ｃ、５ｄからの断熱材７の漏れを防止することができる。
そして、シール用のテープ３０として発泡ソフトテープを使用したので、テープの気泡内部にまで断熱材７のポリウレタンフォーム液が充填され、発泡ソフトテープ自体が強固となり、同時接着している下扉、上扉ハンドル１１、１２および扉面材５と共に取り付け強度が増加し、下扉、上扉ハンドル１１、１２を強固に保持することができる。
【００２３】
実施の形態２．
図７は本発明の実施の形態２に係る冷蔵庫の下扉のハンドル取り付け部近傍の横断面図である。
実施の形態２では、扉ハンドルは、断面ほぼＵ字状の把持部をさらに幅狭に構成し、その両側端部に外側に向かうフランジを設けたものである。
図において、下扉ハンドル１１（上扉ハンドル１０の説明は省略する）は、把持部１２０と、第１、第２、第３の係止爪（図示せず）とから構成されている。把持部１２０は断面がほぼＵ字状で上下方向に延在し、両側端部に外側に向かう側部フランジ１６０ａを有する。そして、側部フランジ１６０ａの上部は下方向に垂直に切り取られ、位置決めストッパーとしての段差角部（図示せず）を形成している。第１、第２、第３の係止爪は、凹部１２０ａ側に位置して上下方向に所定の間隔で設けられたハンドル引っ掛け用の係止爪（図示せず）を形成する。
その他の構成、作用は、実施の形態１に示した場合と同様なので、説明を省略する。
【００２４】
実施の形態２によれば、冷蔵庫の上扉２、下扉３の側面２ａ、３ａに扉開閉に支障のない範囲で小型化された独立の上扉、下扉ハンドル１０、１１を取り付けたので、美観を崩すことがない。また、上扉、下扉ハンドル１０、１１を小型化したので、材料原価を低減させることができる。
【図面の簡単な説明】
【００２５】
【図１】本発明の実施の形態１に係る冷蔵庫の斜視図である。
【図２】図１の下扉のハンドル取り付け部近傍の横断面図である。
【図３】図１の下扉のハンドル取り付け部近傍の縦断面図である。
【図４】図３の要部を拡大した縦断面図である。
【図５】図４の上面図である。
【図６】図１の下扉のハンドル取り付け部近傍を断熱材側から見た斜視図である。
【図７】本発明の実施の形態２に係る冷蔵庫の下扉のハンドル取り付け部近傍の横断面図である。
【符号の説明】
【００２６】
２  上扉、２ａ  上扉の側面、３  下扉、３ａ  下扉の側面、５  扉面材、５ａ  扉面材の側面、５ｂ  第１の角穴（係止孔、被係止部）、５ｃ  第２の角穴（係止孔、被係止部）、５ｄ  第３の角穴（係止孔、被係止部）、５ｅ  扉面材の上端部、７  断熱材、１０  上扉ハンドル、１１  下扉ハンドル、１２、１２０  把持部、１２ａ、１２０ａ  把持部の凹部、１３  第１の係止爪（水平爪部、係止部）、１４  第２の係止爪（垂直爪部、係止部）、１５  第３の係止爪（係止部）、１６  下扉ハンドルの蓋部、１６ａ、１６０ａ  把持部の側部フランジ、１６ｂ  段差角部、２０  ドアキャップ、２１  ドアキャップのフランジ、２１ａ  フランジの溝部、３０  テ−プ（発泡ソフトテープ）。
【図１】
0004948377.tif 000002
【図２】
0004948377.tif 000003
【図３】
0004948377.tif 000004
【図４】
0004948377.tif 000005
【図５】
0004948377.tif 000006
【図６】
0004948377.tif 000007
【図７】
0004948377.tif 000008